(57)【特許請求の範囲】
【請求項１】
互いに向けて及び互いに離れるように直線的に移動可能な第１及び第２部分（１、２）と、第１部分（１）に担持される切断刃（３）と、前記第１部分（１）に担持される支持装置（４、４１）と、第２部分（２）が有する当接部（２２、２３）と、前記第１及び第２部分を互いに相対的移動方向に付勢するばね手段（５）とを有し、前記第１及び第２部分が前記ばね要素の付勢に逆らう方向に互いにそれぞれ動かされたときに、ケーブル（７）が前記当接部及び前記切断刃の間に挿入可能であり、工具に力が加えられなくなったときに、前記ケーブル（７）が前記当接部（２２、２３）及び前記切断刃（３）の間に把持され、前記切断刃（３）と該切断刃（３）に最も近くにある前記支持装置の部分（４１）との間の距離により、前記切断刃（３）が前記ケーブル（７）を切り込む深さが定められ、前記ケーブル（７）を受容するための貫通開口部が前記工具に設けられ、前記第１及び第２部分（１、２）の少なくとも１つはリング形状である、ケーブル剥ぎ取り工具において、
前記ばね要素（５）は、前記第１及び第２部分を互いに離れる方向に付勢するように構成されており、前記第１及び第２部分の移動方向についての前記工具の長さは、ユーザーが互いに反対側の２つの工具端部を、前記ケーブルを受容する開口部を露出させるべく、前記第１及び第２部分の移動方向に把持又は圧縮する力を片手で加えることができる長さに設定されていることを特徴とするケーブル剥ぎ取り工具。
【請求項２】
前記支持装置（４）は、前記貫通開口部を画定するリング形状の支持要素を有し、該支持要素の内周壁には複数の支持部分（４１）が設けられており、該複数の支持部分の各々と該支持要素の回転軸との距離は互いに異なることを特徴とする請求項１に記載のケーブル剥ぎ取り工具。
【請求項３】
回転可能な支持要素の中央開口部の各部分と該支持要素の回転中心との距離は、該回転中心の回りの回転方向について互いに異なることを特徴とする請求項１又は２に記載のケーブル剥ぎ取り工具。
【請求項４】
前記支持装置（４）が前記第１部分（１）に回転可能に取付けられることを特徴とする請求項１〜３のいずれか１項に記載のケーブル剥ぎ取り工具。
【請求項５】
前記支持装置は、前記貫通開口部を画定するリング形状の支持要素を有し、該支持要素は、軸線の回りを回転するように前記第１部分（１）に取付けられるリング（４）であり、前記支持装置は、前記リング（４）に関して概ね径方向に直線的に案内される当接部（１４８）を有し、前記当接部（１４８）はカム従動子（５０）を有し、前記リング（４）は、前記カム従動子に係合するカムを有し、前記カムは、前記リングの中央から前記カムまでの距離が前記リングの周方向について変化するように配置され、ケーブルの切断深さは、前記第１部分に対する前記リングの回転位置に対応するように設定可能であることを特徴とする請求項１に記載のケーブル剥ぎ取り工具。
【請求項６】
前記当接部（１４８）は、前記カム従動子（５０）を介して、前記カムの径方向内側の面に担持されることを特徴とする請求項５に記載のケーブル剥ぎ取り工具。
【請求項７】
前記当接部（１４８）を前記カム（４８）に接するように付勢するばね要素を有する特徴とする請求項６に記載のケーブル剥ぎ取り工具。
【請求項８】
前記リング（４）は、前記第１及び第２部分（１、２）が組み合わされた状態において前記第２部分（２）の肩（５１）に近接して配置される外周面（４２）を有し、前記リング（４）の前記外周面（４２）は凹部（９８）を有し、該凹部（９８）は、前記リング（４）がある回転位置にあるときに前記肩（５１）受容するように構成され、前記凹部（９８）が前記肩（５１）を受容しているときは、前記第１及び第２部分（１、２）は、前記凹部（９８）の深さに対応する距離だけ互いに接近し、該接近により、前記切断刃を担持する保持器（３０）は、対応するガイド溝内に挿入され、前記工具の操作位置に至ることを特徴とする請求項５〜７のいずれか１項に記載のケーブル剥ぎ取り工具。
【請求項９】
前記保持器の内側端部は、該保持器（３０）を前記ガイド溝（３１）内に保持するために、掛止ストリップ（３８）の周りを把持する掛止フック（３６）を有する掛止アーム（３５）を備え、前記保持器（３０）の前記内側端部（３４）は楔状表面（９１、９２）を有し、該楔状表面は、前記第１及び第２部分（１、２）が組み合わされて前記肩（５１）が前記リング（４）の前記凹部（９８）に受容されたときに、前記第２部分（２）が有するポスト（８０）と協働可能であることを特徴とする請求項８に記載のケーブル剥ぎ取り工具。
【請求項１０】
前記楔状表面は、傾斜角度が互いに異なる２つの表面（９１、９２）を有し、前記ポスト（８０）は、前記２つの表面（９１、９２）のうち急勾配の表面（９１）と協働して前記保持器（３０）を軸方向に移動させる力を生じさせ、該力により、前記保持器が前記溝の外に移動して、前記掛止フック（３６）と前記掛止アーム（３５）とが非係合状態になることを特徴とする請求項９に記載のケーブル剥ぎ取り工具。
【発明の詳細な説明】
【０００１】
【発明の属する技術分野】
本発明は、請求項１の前提部分に規定される種類のケーブル剥ぎ取り工具に関する。
【０００２】
【従来の技術】
前述の種類のケーブル剥ぎ取り装置は、例えばＧＢ−Ａ−２２１５１４３号及びＵＳ４，６４０，００９号により公知である。そのような装置／工具は、相対的に直線的に移動可能な２つの部分を有し、それら２つの部分は、関連付けられたケーブル支持部分を備えた切断刃及び当接手段を担持する。ケーブル支持部分は、刃の切断深さを制限する。当接手段及び刃の間に配置されたケーブルが刃に対して把持されるように、付勢手段が２つの部分を互いに向けて付勢する。この種の工具は、ケーブルの回りを径方向に切断する機能を有する。この工具は、工具ガイドから離れて配置されてケーブルを受容する指開口部を有するので、ユーザーは工具を容易に捩ることができ、それとともに刃がケーブルの回りを動く。公知の装置／工具は、請求項１に前提部分に包含される種類のものである。
【０００３】
公知の工具の欠点の１つは、剥ぎ取られるケーブルを挿入するために、ばね付勢に逆らって工具を開口させることが比較的困難なことである。例えば、ＧＢ−Ａ−２２１５１４３号は、工具が有する直線的に移動可能な複数の主要部分を互いに向けて付勢するばね手段を教示する。工具を開口させるためには、ユーザーは複数の部分を互いに離れる方向に移動させる必要がある。このことを実行することは、工具の第１部分が把持可能であって、かつ第２部分が工具を掴む手の親指によって第１部分から押し退けられることを可能にする凹凸要素を第２部分が有する場合であっても、困難である。
【０００４】
【特許文献１】
ＧＢ−Ａ−２２１５１４３号
【特許文献２】
ＵＳ４，６４０，００９号
【０００５】
【発明が解決しようとする課題】
従って、本発明の目的の１つは、ケーブルが工具内に配置されたときに、片手で容易かつ快適に操作可能であるような、上述の種類の工具を提供することである。
【０００６】
さらなる目的は、刃の切断深さを確実かつ扱いやすい形態で設定可能にし、同時にケーブルの位置又は支持部分上のケーブルを安定させる工具を提供することである。
【０００７】
これらの目的は、本発明に係る手段により達成される。
【０００８】
【課題を解決するための手段】
本発明は、独立請求項１に定義される。本発明の特に好適な実施形態は、従属請求項２に定義される。本発明のさらなる実施形態は、他の従属請求項より明らかになるであろう。
【０００９】
本発明の重要な特徴によると、工具の構成は、工具の複数の主部がばね要素によって互いに離れる方向に付勢されているとともに、ばねの付勢作用に逆らって互いに向けて移動可能であるような構成である。このことは、ユーザーが片手で、複数の部分又は主部が相対的に移動する方向に工具を握り、工具の互いに反対側の端部が主部の移動方向に作用することにより行われる。工具の長さは、工具がユーザーの手に扱いやすく把持されて、図示されるように複数の主部をともに把持することができるような長さである。工具はまた、固定された切断刃と協働して刃の異なる切断深さを定める支持部分を周囲に有する回転可能な支持装置を有することが好ましい。工具はまた、支持装置に沿うケーブルの可動範囲を限定する。このことは、その支持装置が、内周部に多様な支持部分を担持するリング形状の支持要素を有することにより達成される。リング形状の支持要素は、切断深さを示すマークを担持することができる。その切断深さは、支持要素が回転可能に取付けられる工具の一部分に存する読取り符号に関するリングの回転により、瞬時に定められる。
【００１０】
支持要素の内周部は、その周辺の少なくとも一部に多角形形状を有することができ、その多角形の側面は、支持要素の回転軸から相異なる距離（換言すれば、支持要素が切断刃に最も近接しているときは刃のエッジから相異なる距離）に位置する支持部分を画定する。
【００１１】
切断刃と協働する位置にある支持部分に隣接する別の支持部分は、関連する支持要素に沿うケーブルの摺動可能範囲を限定する。
【００１２】
ケーブルが当接部について相対的に周方向に動かされることを防止するために、当接部は楔形状を有することができる。
【００１３】
本発明を、添付図面を参照しながら、一例としてさらに詳細に説明する。
【００１４】
【発明の実施の形態】
工具１０は、相対的に直線的に移動可能な２つの主部１、２を有し、その移動方向は工具が有する複数の短い端部の間に延びる方向である。第１の主部１には、リング４が回転可能に取付けられる。リング４の外周部１５は、主部１を貫通して、対応する開口部４２に受容される。リング４は、外側に突き出る外周フランジ４５を有し、外周フランジ４５は複数のマーク４６を有する。複数のマーク４６は、フランジ１５の周囲に間隔を空けて配置され、主部１の読取り線１７によって読取り可能である。外周フランジ４５は、外周フランジ４５を介してリング４が容易に手動で回転できるように、主部１の外部に露出されている。
【００１５】
リング４の内壁は、リング４の回転軸２７から相異なる距離に配置された複数の支持部分４１を備えた多角形形状を有する。主部１は切断刃３を有し、切断刃３の切断エッジは、リングのキャビティ内における第２の主部２に向かう部分において露出された状態となっている。
【００１６】
主部２は、対のポスト２１の間を通って主部１の上方部分内に延び、横部材２２に接続される。主部１は、主部２の部分２１、２２を受容する凹部を有する。主部１の上端壁１８は、対のばね要素５のための当接面１１を画定し、ばね要素５は横部材２２上に作用する。ばね５は２つのばね脚及び巻き変向部を有する。巻き変向部は、２つのばね脚の間に配置されて、主部１の関連付けられたガイドピン１６上に配置される。ばね５は、主部１、２を互いに離れるように移動させるために、端壁１８及び横部材２２の間で作用する圧力ばねを形成する。掛止要素１４、１５は、ばね５によって主部１、２が定められた限界位置を超えて離れることを防止する。横材２２は、傾斜した当接部２３を形成する。主部２は指開口部２０をその外端に有し、その開口部の軸線はリング４の軸線に平行である。
【００１７】
図３に示すように、リング４の内周部の支持部分４１の配置と、リング４を主部１に回転可能に取付けることとにより、主部１、２の相対的移動方向についての工具１０の長さを制限することが可能になり、それにより工具１０を、片手の人差指６１及び親指６２の間に容易に保持し、ばね５の作用に逆らって圧縮することができる。それにより、当接部２３がリング４の開口部を露出させ、ケーブルがその開口部に挿入可能となる。その後、工具に力が加えられなくなると、当接部２３によりケーブル７が切断刃３に向けて移動し、例えば切断刃３と関連して協働する位置に配置された支持部分４１により定められた深さまで、切断刃３がケーブル７を切り込む。刃３の切断深さは、露出されたリングフランジ４５を介するリング４の回転によって、容易に設定可能であることに注目すべきである。ケーブル７がしっかりと把持されているときは、作業者は主部２の開口部２０内に指を入れ、工具１０をケーブル７の回りで１回転させることができる。その後工具は、ケーブルの被覆を剥ぎ取るために、ケーブルの端部に向けて軸方向に動かすことができる。選択的に、工具は、ケーブル７から取り除くために圧縮されてもよい。
【００１８】
図１は、圧縮された状態の工具１０を示すとともに、工具をリングの軸方向に見たときに、切断刃のエッジがリング４の開口部内に露出された状態を示している。当接部２２、２３は、明確化のためにリング開口部の上方部分に図示されている。工具に力が加えられなくなると、当接部２２、２３は切断刃３に向けて移動する。切断刃３は、別の切断深さ範囲を提供するために、取外し可能であるとともに、リングの軸線に対して異なる角度を有する他の刃に交換可能である。切断刃３は、都合のよいことに工具の主部の移動方向に対して垂直であるため、刃の切断深さは、ケーブル７の回りについて可能な回転方向のいずれにおいても概ね等しい。
【００１９】
選択的に、刃３の深さは、図４及び図５の変形例により制御又は調節可能である。この変形例は、リング４の中央領域に向かう方向にガイド１５０によって案内される支持要素１４８を有する。支持要素１４８は、概ねカップ形状、すなわち底部及び側壁を有し、工具１０がケーブルの回りを押圧する間、ケーブルを安定的に支持する。支持要素１４８は、リング４上のカム４８に係合するカム従動子５０を有する。リング中央からカム４８までの距離はリング周方向について変化するため、支持要素１４８はカムによって切断刃３から異なる距離に移動させることができる。図示されるように、支持要素１４８は、径方向外側に向かうばねによって付勢され、同時にカム従動子５０に当接する。
【００２０】
図６は、主部１に適合したリング４を示す。図示されるように、リングの外周部４２は、主部１、２が組み合わされたときに、リング４の外周部４２の凹部９８が肩５１を受容するようなリング４の回転位置の１つを除いて、主部２の肩５１に当接する。この除かれた回転位置は、リング４の回転終了位置に対応するものであり、その位置は、図６において主部１のインジケーター７７に整合配置されたリング４のマークＸにより示される。
【００２１】
リング４のこの特定の回転位置においては、主部１、２は、凹部９８の深さに対応する距離だけ互いに向けてさらに動かされる。
【００２２】
図４に示されるように、主部１は、切断刃３を把持する刃保持器又は保持ユニット３０を収容する貫通溝３１を有する。刃保持器は、刃３を受容するとともにフィンガーグリップ３２を溝３１の端部に形成するプラスチック製部材の形状を有することができる。図示されるように、保持ユニット３０が溝３１に完全に挿入されると、フィンガーグリップ３２の端縁は主部１の外側と同一高さになる。保持ユニット３０の挿入端には、プラスチック部３３と一体的な一部分を形成可能なプラスチック製部材３４が設けられる。プラスチック部３３は、刃３の底部を受容し、その底部を部分３２及び３４に接続する。部分３４は、可撓性アーム３５により延びて掛止フック３６を担持し、掛止フック３６は、図のように掛止ストリップ３８を把持する。図示されるように、部材３４の下部は、主部２に接続されるピン８０と協働する楔形状の表面を有する。
【００２３】
図示されるように、部材３４が有する楔状表面は、相異なる傾斜角を有する互いに連続する斜め表面９１、９２を備え、ピン又はポスト８０は、それらの表面に対応する２つの斜め表面８１、８２を有する。肩５１が凹部９８に係合すると（図６）、先ず急勾配の表面８１、９１が互いに係合し、それにより保持ユニット３０を軸方向（図７においては左）に移動させる強い力が生じる。斜めの掛止面を選択的に有することができる掛止フック３６及びアーム３５は、掛止ストリップ３８から離れて自由になる。緩勾配の楔状表面８２、９２が互いに係合すると、ユニット３０が溝３１の外に向けて動かされ、それにより、保持器の端部３２を把持して保持器を引出して取外すことができる。新たなユニット３０が溝３１内に挿入されると、楔状表面を有する掛止フック又はノーズ３６及びアーム３５は、挿入方向とは反対側の掛止ストリップ３８の裏側にて、掛止ストリップ３８と係合可能である。掛止ノーズ３６及びアーム３５は、掛止ストリップ３８と協働して、切断ユニット３０を溝３１内にしっかりと保持するように構成される。
【図面の簡単な説明】
【図１】本発明に係る工具の概略平面図である。
【図２】図１の平面図と平行な断面における、工具の概略断面図である。
【図３】ケーブルを挿入するために露出された、工具のケーブル剥ぎ取り開口部を表す図である。
【図４】工具の一変形例の概略断面図であって、工具に関して対称な面に含まれるとみなすことができる断面を示す図である。
【図５】図４のV−V線における概略図である。
【図６】工具の一変形例の部分前面図である。
【図７】図４のVII−VII線における概略図である。
【図８】図７のVIII−VIII線における断面図である。
【符号の説明】
１、２…主部
３…切断刃
４…リング
５…ばね要素
１０…工具
１５…フランジ
２０…開口部
３０…保持器
３５…アーム
３６…フック
３８…ストリップ
４８…カム
５０…カム従動子
【図１】
0004119238.tif 000002
【図２】
0004119238.tif 000003
【図３】
0004119238.tif 000004
【図４】
0004119238.tif 000005
【図５】
0004119238.tif 000006
【図６】
0004119238.tif 000007
【図７】
0004119238.tif 000008
【図８】
0004119238.tif 000009